(57)【特許請求の範囲】
【請求項１】
記憶媒体を移動が規制されたホルダ内に挿入するステップと、
上記記憶媒体の上記ホルダ内への更なる挿入により上記記憶媒体の接点と上記ホルダ内の接続端子とを電気的に接続するステップと、
上記ホルダをシャーシにロックして移動を規制するロック手段を上記ホルダ内に挿入される記憶媒体により押圧操作し、上記ロック手段による上記ホルダのシャーシへのロックを解除するステップと、
上記記憶媒体と共に上記ホルダを上記記憶媒体の挿入方向に更に移動するステップと、
上記ホルダに係合され上記ホルダと一体に上記記憶媒体の挿入方向に移動されるレバーが上記シャーシに係合される共に上記ホルダとの係合が解除するまで移動されることにより蓄積される付勢力を第１及び第２の付勢手段に蓄積するステップと、
上記レバーとの係合が解除された上記ホルダのみが第３の付勢手段によって上記記憶媒体と共に上記記憶媒体の挿入方向に引き込み操作されるステップとを備える記憶媒体のローディング方法。
【請求項２】
上記第１の付勢手段には、上記ホルダを上記記憶媒体の挿入方向とは逆方向のイジェクト方向に移動させる付勢力が蓄積され、上記第２の付勢手段には、上記レバーを上記イジェクト方向に移動させる付勢力が蓄積される請求項１記載の記憶媒体のローディング方法。
【請求項３】
移動が規制されたホルダ内に記憶媒体を挿入するステップと、
上記記憶媒体の上記ホルダ内への更なる挿入により上記記憶媒体の接点と上記ホルダ内の接続端子とを電気的に接続するステップと、
上記ホルダをシャーシにロックして移動を規制するロック手段を上記ホルダ内に挿入される記憶媒体により押圧操作し、上記ロック手段による上記ホルダの上記シャーシへのロックを解除するステップと、
上記記憶媒体と共に上記ホルダを上記記憶媒体の挿入方向に更に移動するステップと、
上記ホルダに係合され上記ホルダと一体に上記記憶媒体の挿入方向に移動されるレバーが上記シャーシに係合される共に上記ホルダとの係合が解除するまで移動されることにより蓄積される付勢力を第１及び第２の付勢手段に蓄積するステップと、
上記レバーとの係合が解除された上記ホルダのみが第３の付勢手段によって上記記憶媒体と共に上記記憶媒体の挿入方向に引き込み操作されるステップと、
上記第１の付勢手段に蓄積された付勢力を解放し、上記第３の付勢手段の付勢力に抗して上記ホルダを上記記憶媒体の挿入方向とは逆方向のイジェクト方向に移動するステップと、
上記イジェクト方向に移動する上記ホルダが上記レバーに係合すると共に上記シャーシへの係合が解除されるステップと、
上記レバーが上記ホルダと一体に上記第２の付勢手段に蓄積された付勢力により上記イジェクト方向に移動されるステップと
を備える記憶媒体のローディング方法。
【請求項４】
上記ホルダの上記記憶媒体の挿入方向への移動によって、上記第１の付勢手段に付勢力を蓄積する請求項３記載の記憶媒体のローディング方法。
【請求項５】
上記第２の付勢手段に蓄積される付勢力は、上記レバーが上記ホルダに係合し、上記ホルダと一体に上記記憶媒体の挿入方向に移動させることにより蓄積され、上記レバーが上記シャーシに係合されることにより蓄積状態が維持されている請求項３記載の記憶媒体のローディング方法。
【請求項６】
記憶媒体が挿入されると共に、挿入された記憶媒体の先端側に設けられた接点と接続される接続端子が設けられたホルダと、
上記ホルダに設けられると共に上記ホルダが移動可能に支持されるシャーシに係合し、上記ホルダの上記シャーシに対する移動を規制すると共に、上記ホルダに挿入される記憶媒体の接点が上記ホルダの接続端子に接続されるとき、上記記憶媒体に押圧されることにより上記シャーシに対するロックを解除するロック機構と、
上記ロック機構による上記シャーシに対するロックが解除されて移動される上記ホルダに係合し、上記ホルダと一体に上記記憶媒体の挿入方向に移動される揺動レバーと、
上記揺動レバーを上記記憶媒体の上記挿入方向とは逆方向のイジェクト方向に付勢する第１の付勢手段と、
上記揺動レバーの移動に伴い上記ホルダを上記イジェクト方向に移動させるための付勢力を蓄積する第２の付勢手段と、
上記ホルダを上記記憶媒体の挿入方向に付勢する第３の付勢手段とを備え、
上記揺動レバーが上記ホルダと一体に上記記憶媒体の挿入方向に移動されることにより上記第１及び第２の付勢手段に上記揺動レバー及び上記ホルダを上記イジェクト方向に移動させる付勢力を蓄積させると共に、上記揺動レバーの上記記憶媒体の挿入方向への移動によって上記シャーシに対してロックされ且つ上記ホルダとの係合が解除されることにより、上記記憶媒体が挿入されるホルダのみが上記第３の付勢手段により上記記憶媒体の挿入方向に引き込まれ、
上記第１の付勢手段に蓄積された付勢力が解放され、この解放された付勢力により上記第３の付勢手段の付勢力に抗して上記ホルダが上記挿入方向とは逆方向のイジェクト方向に操作され、上記ホルダが上記揺動レバーと係合すると共に上記シャーシに対する係合が解除されることにより、上記揺動レバーが上記ホルダと一体に上記第２の付勢手段による付勢力を受けて上記イジェクト方向に移動される記憶媒体のローディング装置。
【請求項７】
上記第１の付勢手段は、上記シャーシが取り付けられるベースに上記ホルダの移動方向と同方向に移動可能に支持されるとともに付勢力解放制御手段によって移動が規制される付勢方向制御部材と上記揺動レバーの間に張設され、上記揺動レバーが上記ホルダと一体に上記記憶媒体の挿入方向に移動されるとき、上記付勢方向制御部材の上記記憶媒体挿入方向への移動が上記移動規制手段によって規制されることにより、上記揺動レバー及び上記ホルダを上記イジェクト方向に移動させる付勢力が蓄積される請求項６記載の記憶媒体のローディング装置。
【請求項８】
上記揺動レバーは、記憶媒体の上記ホルダに対する挿入方向に移動可能に上記シャーシに支持されたスライダに回動可能に支持され、
上記第２の付勢手段は、上記スライダと上記シャーシとの間に亘って設けられている請求項７記載の記憶媒体のローディング装置。
【請求項９】
上記第１の付勢手段は、上記スライダと上記付勢方向制御部との間に亘って張設されてなる請求項８記載の記憶媒体のローディング装置。
【請求項１０】
上記第１の付勢手段に蓄積された付勢力は、上記移動規制部材により上記付勢方向制御部材の移動の規制が解除されることにより解放されて、上記揺動レバー及び上記ホルダを上記イジェクト方向に移動させる請求項７記載の記憶媒体のローディング装置。
【請求項１１】
上記付勢方向制御部材は、上記第１の付勢手段に蓄積された付勢力により上記ホルダの記憶媒体の挿入方向に移動された後イジェクト方向に移動される請求項１０記載の記憶媒体のローディング装置。
【請求項１２】
上記装置は、更に、上記付勢方向制御部材の上記ホルダの記憶媒体の挿入方向への移動によって回動操作され、上記ホルダをイジェクト方向に押圧する回動操作部材を備える請求項７記載の記憶媒体のローディング装置。
【請求項１３】
上記移動規制手段は、ソレノイドプランジャによって操作される請求項７記載の記憶媒体のローディング装置。
【請求項１４】
上記移動規制部材は、手動操作される操作部材によって操作される請求項７記載の記憶媒体のローディング装置。
【請求項１５】
記憶媒体が挿入されると共に、挿入された記憶媒体の先端側に設けられた接点と接続される接続端子が設けられたホルダと、
上記ホルダに設けられると共に上記ホルダが移動可能に支持されるシャーシに係合し、上記ホルダの上記シャーシに対する移動を規制すると共に、上記ホルダに挿入される記憶媒体の接点が上記ホルダの接続端子に接続されるとき、上記記憶媒体に押圧されることにより上記シャーシに対するロックを解除するロック機構と、
上記ロック機構による上記シャーシに対するロックが解除されて移動される上記ホルダに係合し、上記ホルダと一体に上記記憶媒体の挿入方向に移動される揺動レバーと、
上記揺動レバーを上記記憶媒体の上記挿入方向とは逆方向のイジェクト方向に付勢する第１の付勢手段と、
上記揺動レバーの移動に伴い上記ホルダを上記イジェクト方向に移動させるための付勢力を蓄積する第２の付勢手段と、
上記ホルダを上記記憶媒体の挿入方向に付勢する第３の付勢手段とを備え、
上記揺動レバーが上記ホルダと一体に上記記憶媒体の挿入方向に移動されることにより上記第１及び第２の付勢手段に上記揺動レバー及び上記ホルダを上記イジェクト方向に移動させる付勢力を蓄積させると共に、上記揺動レバーの上記記憶媒体の挿入方向への移動によって上記シャーシに対してロックされ且つ上記ホルダとの係合が解除されることにより、上記記憶媒体が挿入されるホルダのみが上記第３の付勢手段により上記記憶媒体の挿入方向に引き込まれ、上記ホルダに挿入された記憶媒体をデータの記録再生位置にローディングし、
上記第１の付勢手段に蓄積された付勢力が解放され、この解放された付勢力により上記第３の付勢手段の付勢力に抗して上記ホルダが上記挿入方向とは逆方向のイジェクト方向に操作され、上記ホルダが上記揺動レバーと係合すると共に上記シャーシに対する係合が解除されることにより、上記揺動レバーが上記ホルダと一体に上記第２の付勢手段による付勢力を受けて上記イジェクト方向に移動され、上記ホルダに挿入された記憶媒体のイジェクトを可能とする記録及び／又は再生装置。
【請求項１６】
上記第１の付勢手段は、上記シャーシが取り付けられるベースに上記ホルダの移動方向と同方向に移動可能に支持されるとともに付勢力解放制御手段によって移動が規制される付勢方向制御部材と上記揺動レバーの間に張設され、上記揺動レバーが上記ホルダと一体に上記記憶媒体の挿入方向に移動されるとき、上記付勢方向制御部材の上記記憶媒体挿入方向への移動が上記移動規制手段によって規制されることにより、上記揺動レバー及び上記ホルダを上記イジェクト方向に移動させる付勢力が蓄積される請求項１５記載の記録及び／又は再生装置。
【請求項１７】
上記揺動レバーは、記憶媒体の上記ホルダに対する挿入方向に移動可能に上記シャーシに支持されたスライダに回動可能に支持され、
上記第２の付勢手段は、上記スライダと上記シャーシとの間に亘って設けられている請求項１６記載の記録及び／又は再生装置。
【請求項１８】
上記第１の付勢手段は、上記スライダと上記付勢方向制御部材との間に亘って張設されてなる請求項１７記載の記録及び／又は再生装置。
【請求項１９】
上記第１の付勢手段に蓄積された付勢力は、上記移動規制部材により上記付勢方向制御部材の移動の規制が解除されることにより解放されて、上記揺動レバー及び上記ホルダを上記イジェクト方向に移動させる請求項１６記載の記録及び／又は再生装置。
【請求項２０】
上記付勢方向制御部材は、上記第１の付勢手段に蓄積された付勢力により上記ホルダの記憶媒体の挿入方向に移動された後イジェクト方向に移動される請求項１９記載の記録及び／又は再生装置。
【請求項２１】
上記装置は、更に、上記付勢方向制御部材の上記上記ホルダの記憶媒体の挿入方向への移動によって回動操作され、上記ホルダをイジェクト方向に押圧する回動操作部材を備える請求項１６記載の記録及び／又は再生装置。
【請求項２２】
上記移動規制手段は、ソレノイドプランジャによって操作される請求項１６記載の記録及び／又は再生装置
【請求項２３】
上記移動規制部材は、手動操作される操作部材によって操作される請求項１６記載の記録及び／又は再生装置。
【発明の詳細な説明】
【０００１】
【産業上の利用分野】
本発明は、固体メモリを記憶素子に用いる記憶媒体を、例えば記録及び／又は再生装置内の装着位置にローディングするローディング装置及びローディング方法、更には、このローディング装置を用いた記憶媒体の記録及び／又は再生装置に関する。
【０００２】
【従来の技術】
従来、情報信号の記憶媒体として、固体メモリを記憶素子に用いる記憶媒体が用いられている。固体メモリを用いた記憶媒体は、大きな記憶容量を確保しながら小型に形成することができるので、この記憶媒体を用いた記録及び／又は再生装置の一層の小型化を図ることができる。
【０００３】
【発明が解決しようとする課題】
本発明の目的は、大きな記憶容量を確保しながら小型に形成することができる固体メモリを記憶素子に用いるような記憶媒体のローディング装置の一層の小型化を図り、このローディング装置を用いる記憶媒体のローディング装置の一層の小型化を図り、更には上記ローディング装置を用いた記録及び／又は再生装置の一層の小型化を図ることにある。
【０００４】
本発明の他の目的は、固体メモリを記憶素子に用いる記憶媒体を確実にローディングできるローディング装置を提供し、更に、所定装着位置にローディングした記憶媒体を確実にイジェクトすることができるローディング装置及び記録及び／又は再生装置を提供することにある。
【０００５】
【課題を解決するための手段】
上述したような目的を達成するために提案される本発明は、記憶媒体を所定の記録及び／又は再生位置にローディングするローディング方法であり、記憶媒体を移動が規制されたホルダ内に挿入するステップと、記憶媒体のホルダ内への更なる挿入により記憶媒体の接点とホルダ内の接続端子とを電気的に接続するステップと、ホルダをシャーシにロックして移動を規制するロック手段をホルダ内に挿入される記憶媒体により押圧操作し、ロック手段によるホルダのシャーシへのロックを解除するステップと、記憶媒体と共にホルダを記憶媒体の挿入方向に更に移動するステップと、ホルダに係合され上記ホルダと一体に記憶媒体の挿入方向に移動されるレバーがシャーシに係合される共にホルダとの係合が解除するまで移動されることにより蓄積される付勢力を第１及び第２の付勢手段に蓄積するステップと、レバーとの係合が解除されたホルダのみが第３の付勢手段によって記憶媒体と共に記憶媒体の挿入方向に引き込み操作されるステップとを備える。
【０００６】
ここで、第１の付勢手段には、ホルダを記憶媒体の挿入方向とは逆方向のイジェクト方向に移動させる付勢力が蓄積され、第２の付勢手段には、レバーをイジェクト方向に移動させる付勢力が蓄積される。
【０００７】
また、本発明に係る記憶媒体のローディング方法は、移動が規制されたホルダ内に記憶媒体を挿入するステップと、記憶媒体のホルダ内への更なる挿入により記憶媒体の接点とホルダ内の接続端子とを電気的に接続するステップと、ホルダをシャーシにロックして移動を規制するロック手段をホルダ内に挿入される記憶媒体により押圧操作し、ロック手段による上記ホルダの上記シャーシへのロックを解除するステップと、記憶媒体と共にホルダを記憶媒体の挿入方向に更に移動するステップと、ホルダに係合されホルダと一体に記憶媒体の挿入方向に移動されるレバーがシャーシに係合される共にホルダとの係合が解除するまで移動されることにより蓄積される付勢力を第１及び第２の付勢手段に蓄積するステップと、レバーとの係合が解除されたホルダのみが第３の付勢手段によって記憶媒体と共に記憶媒体の挿入方向に引き込み操作されるステップと、第１の付勢手段に蓄積された付勢力を解放し、第３の付勢手段の付勢力に抗してホルダを記憶媒体の挿入方向とは逆方向のイジェクト方向に移動するステップと、イジェクト方向に移動するホルダがレバーに係合すると共にシャーシへの係合が解除されるステップと、レバーがホルダと一体に第２の付勢手段に蓄積された付勢力によりイジェクト方向に移動されるステップとを備える。
【０００８】
ここで、第１の付勢手段への付勢力の蓄積は、ホルダの記憶媒体の挿入方向への移動によって行われる。第２の付勢手段への付勢力の蓄積は、レバーがホルダに係合し、ホルダと一体に記憶媒体の挿入方向に移動されることによって行われる。
【０００９】
上述のような目的を達成するために提案される記憶媒体のローディング装置は、記憶媒体が挿入されると共に、挿入された記憶媒体の先端側に設けられた接点と接続される接続端子が設けられたホルダと、このホルダに設けられると共にホルダが移動可能に支持されるシャーシに係合し、ホルダのシャーシに対する移動を規制すると共に、ホルダに挿入される記憶媒体の接点がホルダの接続端子に接続されるとき、記憶媒体に押圧されることによりシャーシに対するロックを解除するロック機構と、このロック機構によるシャーシに対するロックが解除されて移動されるホルダに係合し、ホルダと一体に記憶媒体の挿入方向に移動される揺動レバーと、この揺動レバーを記憶媒体の挿入方向とは逆方向のイジェクト方向に付勢する第１の付勢手段と、揺動レバーの移動に伴いホルダをイジェクト方向に移動させるための付勢力を蓄積する第２の付勢手段と、ホルダを記憶媒体の挿入方向に付勢する第３の付勢手段とを備える。このローディング装置は、揺動レバーがホルダと一体に記憶媒体の挿入方向に移動されることにより第１及び第２の付勢手段に揺動レバー及びホルダをイジェクト方向に移動させる付勢力を蓄積させると共に、揺動レバーの記憶媒体の挿入方向への移動によってシャーシに対してロックされ且つホルダとの係合が解除されることにより、記憶媒体が挿入されるホルダのみが第３の付勢手段により記憶媒体の挿入方向に引き込まれ、第１の付勢手段に蓄積された付勢力が解放され、この解放された付勢力により第３の付勢手段の付勢力に抗してホルダが挿入方向とは逆方向のイジェクト方向に操作され、ホルダが揺動レバーと係合すると共にシャーシに対する係合が解除されることにより、揺動レバーがホルダと一体に第２の付勢手段による付勢力を受けてイジェクト方向に移動される。
【００１０】
このローディング装置を構成する第１の付勢手段は、シャーシが取り付けられるベースにホルダの移動方向と同方向に移動可能に支持されるとともに付勢力解放制御手段によって移動が規制される付勢方向制御部材と揺動レバーの間に張設され、揺動レバーがホルダと一体に記憶媒体の挿入方向に移動されるとき、付勢方向制御部材の記憶媒体挿入方向への移動が移動規制手段によって規制されることにより、揺動レバー及びホルダをイジェクト方向に移動させる付勢力が蓄積される。
【００１１】
また、揺動レバーは、記憶媒体のホルダに対する挿入方向に移動可能にシャーシに支持されたスライダに回動可能に支持され、第２の付勢手段は、スライダとシャーシとの間に亘って設けられる。
【００１２】
そして、第１の付勢手段は、スライダと付勢力制御部との間に亘って張設されている。
【００１３】
第１の付勢手段に蓄積された付勢力は、移動規制部材により付勢方向制御部材の移動の規制が解除されることにより解放されて、揺動レバー及びホルダをイジェクト方向に移動させる。
【００１４】
付勢方向制御部材は、第１の付勢手段に蓄積された付勢力によりホルダの記憶媒体の挿入方向に移動された後イジェクト方向に移動する動作を行う。
【００１５】
本発明に係るローディング装置は、更に、付勢方向制御部材のホルダの記憶媒体の挿入方向への移動によって回動操作され、ホルダをイジェクト方向に押圧する回動操作部材を備える。
【００１６】
移動規制手段は、ソレノイドプランジャによって操作される。すなわち、移動規制手段を操作する手段としてソレノイドプランジャが用いられる。
【００１７】
また、移動規制部材は、手動操作される操作部材によって操作されるようにしてもよい。
【００１８】
更に、本発明は、固体メモリを記憶素子に用いる記憶媒体を用いる記録及び／又は再生装置であり、記憶媒体が挿入されると共に、挿入された記憶媒体の先端側に設けられた接点と接続される接続端子が設けられたホルダと、このホルダに設けられると共にホルダが移動可能に支持されるシャーシに係合し、ホルダのシャーシに対する移動を規制すると共に、ホルダに挿入される記憶媒体の接点がホルダの接続端子に接続されるとき、記憶媒体に押圧されることによりシャーシに対するロックを解除するロック機構と、このロック機構によるシャーシに対するロックが解除されて移動されるホルダに係合し、ホルダと一体に記憶媒体の挿入方向に移動される揺動レバーと、揺動レバーを記憶媒体の挿入方向とは逆方向のイジェクト方向に付勢する第１の付勢手段と、揺動レバーの移動に伴いホルダをイジェクト方向に移動させるための付勢力を蓄積する第２の付勢手段と、ホルダを記憶媒体の挿入方向に付勢する第３の付勢手段とを備え、揺動レバーがホルダと一体に記憶媒体の挿入方向に移動されることにより第１及び第２の付勢手段に揺動レバー及びホルダをイジェクト方向に移動させる付勢力を蓄積させると共に、揺動レバーの記憶媒体の挿入方向への移動によってシャーシに対してロックされ且つホルダとの係合が解除されることにより、記憶媒体が挿入されるホルダのみが第３の付勢手段により記憶媒体の挿入方向に引き込まれ、ホルダに挿入された記憶媒体をデータの記録又は再生位置にローディングし、第１の付勢手段に蓄積された付勢力が解放され、この解放された付勢力により第３の付勢手段の付勢力に抗してホルダが挿入方向とは逆方向のイジェクト方向に操作され、ホルダが揺動レバーと係合すると共にシャーシに対する係合が解除されることにより、揺動レバーがホルダと一体に第２の付勢手段による付勢力を受けてイジェクト方向に移動され、ホルダに挿入された記憶媒体のイジェクトが可能とされる。
【００１９】
【発明の実施の形態】
まず、本発明に係るローディング装置が適用される記録及び／又は再生装置に用いられる記憶媒体を説明すると、この記憶媒体１は、固体メモリをメモリ素子に用いたものであって、合成樹脂をモールド成型したメモリ本体を構成する筐体２を備え、この筐体２の内部に、例えば３２メガバイト以上の大きな記憶容量を有するフラッシュメモリ等のメモリ素子が設けられている。記憶媒体１は、例えば、図１に示すように、短辺の長さＷ1を略２１．４５ｍｍとなし、長辺の長さＬ1を略５０ｍｍとなし、厚さＤ1を略２．８ｍｍとなす略矩形状に形成されている。
【００２０】
記憶媒体１を構成する収納体２の一方の短辺側である一端側には、図１及び図２に示すように、一端面から底面に亘るように、接点部３が形成されている。この接点部３には、互いに仕切り壁３ａに分離された複数の接点３ｂが設けられている。筐体２内に設けられたメモリ素子に対する情報の読み出し又は書き込み動作は、接点部３に設けられた接点３ｂを介して行われる。
【００２１】
筐体２の接点部３が形成された一端面側の一方のコーナ部には、図１及び図２に示すように、円弧状に切り欠かれた記録及び／又は再生装置への挿入方向を示す切り欠き部４が設けられている。収納体２の切り欠き部４が形成された側の一方の側面には、図２に示すように、収納体２の底面側を解放した誤挿入防止溝５が切り欠き部４に連続して形成されている。この切り欠き部４及び誤挿入防止溝５は、板状メモリ１が記録及び／又は再生装置に装着されるとき、記録及び／又は再生装置に対する挿入方向を規制して誤挿入を防止するためのものである。
【００２２】
収納体２の底面側には、接点部３の近傍に位置して、誤って情報信号を半導体メモリに記録することを防止する誤記録防止スイッチ６が設けられている。誤記録防止スイッチ６は、筐体２内の操作子に連結され、一方にスライドされたとき、情報信号の記録を可能となし、他方にスライドされたとき、新たな情報信号が上書きされないようにしている。収納体２の一方の側面及び他方の側面には、記録及び／又は再生装置に挿入されたとき、記録及び／又は再生装置側に設けた係合保持部に係合し、あるいは装着の有無を検出する検出部が係合する第１及び第２の係合凹部７，８が設けられている。
【００２３】
上述のように構成された記憶媒体１を用いる本発明が適用される記録再生装置として、図３に示すように構成されたものがある。図３に示す記録再生装置は、オーディオデータ等の情報信号を記憶媒体１に記録し、又は記憶媒体１に記憶されたオーディオデータ等の情報信号の再生を行うものである。この記録再生装置１１は、手で把持して用いる程度の大きさに構成されてなるものであって、図３に示すように、長尺な直方体状に形成された装置本体を構成するハウジング１２を備えている。ハウジング１２内には、後述するように構成された本発明が適用された記憶媒体１のローディング装置が内蔵され、このローディング装置を介して記憶媒体１のローディングが行われる。ハウジング１２の底面には、ハウジング１２に内蔵されたローディング装置に記憶媒体１を挿脱するための記憶媒体挿脱口１３が設けられている。記憶媒体挿脱口１３は、記憶媒体１が接点部３が設けられた一端側を挿入端として挿入されるに足る大きさを有する矩形状に形成されている。記憶媒体挿脱口１３は、ローディング装置側に回動可能に支持される蓋体により閉塞される。
【００２４】
ハウジング１２内には、装着された記憶媒体１に対しオーディオデータ等の情報信号の記録を行い、あるいは記憶媒体１に記憶されたオーディオデータ等の情報信号の再生を行う記録再生回路やその他の信号処理部が設けられている。ハウジング１２の一側面には、図３に示すように、記憶媒体１にオーディオデータ等の情報信号の記録を行う記録モードを選択する記録モード選択キー１３、再生モード選択キー１４、記録モード等の操作モードを停止する停止キー１５、その他の操作モードの選択を行う各種操作キー１６が設けられている。また、ハウジング１２の前面側の上方側の位置には、液晶素子等からなる表示部１７が設けられている。この表示部１７には、現在の操作モードや記憶媒体１記録される情報のインデックス等が表示される。この表示部１７が設けられた前面側の上方側のコーナ部には、外部音声の集音を行うマイクロホン１８が設けられている。
【００２５】
また、ハウジング１２には、図示しないが、接続コードを介してパーソナルコンピュータやディスクドライブ装置との接続を図るための接続部が設けられている。この接続部は、ＵＳＢ（Universal Serial Bus）に準拠されたものとして構成されている。
【００２６】
このような構成を備えた記録再生装置は、記憶媒体挿脱口１３を介して図１及び図２に示すような記憶媒体１を装置本体内の装着位置に装着し、記録モード選択キー１３を操作して記録操作モードすることによって、接続部を介してパーソナルコンピュータ等の外部機器から入力されるオーディオデータやマイクロホン１８を介して集音される音声の記録が行われる。また、再生モード選択キー１４を操作して再生操作モードすることによって、装着された記憶媒体１に記録されたオーディオデータ等の情報信号の再生が行われる。
【００２７】
本発明が適用される記録再生装置の他の例として、コンパクトディスク（ＣＤ）等の光ディスクを記憶媒体に用いる光ディスクドライブや磁気ディスクを記録媒体に用いるハードディスクドライブを一体的に内蔵した記録再生装置２１がある。
【００２８】
この記録再生装置２１は、図４に示すように、機器本体を構成するハウジング２２の上部側に光ディスクを記録媒体に用いる光ディスクドライブ２３が設けられている。光ディスクドライブ２３の記録媒体として用いられる光ディスクは、光ディスクドライブの回転駆動機構に着脱自在に装着される。光ディスクドライブ２３に対する光ディスクの着脱は、ハウジング２２の上部に設けられた蓋体２４を回動操作することによってハウジング２２の上部を開放し、光ディスクドライブ２３のディスク回転駆動機構を外方に臨ませることによって行われる。
【００２９】
蓋体２４の開放操作は、ハウジング２２の正面側の中央部に設けられた開放操作釦２５をスライド操作することによって行われる。
【００３０】
磁気ディスクを一体的に取り付けたハードディスクドライブは、磁気ディスクの交換を必要としないので、ハウジング２２内に内蔵されている。
【００３１】
図４に示す記録再生装置２１は、更に、ハウジング２２内に、図１及び図２に示した記憶媒体１が着脱自在に装着される記憶媒体装着部２６が設けられている。記憶媒体装着部２６に対する記憶媒体１の装着操作は、ハウジング２２に内蔵される本発明が適用される後述するように構成されるローディング装置を用いて行われる。
【００３２】
ローディング装置への記憶媒体１の挿脱は、図４に示すように、ハウジング２２の正面中央部に設けた記憶媒体挿脱口２７を介して行われる。この記憶媒体挿脱口２７も、前述した携帯型の記録再生装置１１と同様に、記憶媒体１が接点部３が設けられた一端側を挿入端として挿入されるに足る大きさを有する矩形状に形成され、ローディング装置側に回動可能に支持される蓋体により閉塞される。
【００３３】
この記録再生装置２１においても、ハウジング１２内には、装着された記憶媒体１に対しオーディオデータ等の情報信号の記録を行い、あるいは記憶媒体１に記憶されたオーディオデータ等の情報信号の再生を行う記録再生回路やその他の信号処理部が設けられている。
【００３４】
ハウジング２２の上部に設けられる装置本体側の蓋体２４の上面には、図４に示すように、光ディスクドライブ２３やハードディスクドライブの操作モードを選択する複数のモード選択キー２８が設けられている。
【００３５】
光ディスクドライブ２３及びハードディスクドライブと共に、記憶媒体装着部２６を設け、記憶媒体１に対する情報信号の記録再生を可能とした複合型の記録再生装置２１は、光ディスクドライブ２３、ハードディスクドライブ及び記憶媒体記録再生部との間で相互に情報信号の伝送を可能とし、例えば、光ディスクに記憶されたオーディオデータをハードディスク又は記憶媒体１に記録することを可能とするように構成され、光ディスクに記録されたオーディオデータ等を記憶媒体１に記録し、あるいはハードディスクに記録されたオーディオデータ等を記憶媒体１に記録し、更に、記憶媒体１に記録されたオーディオデータ等をハードディスクに記録する機能を有している。
【００３６】
このような光ディスク、ハードディスク及び記憶媒体１との間で相互に情報信号の伝送を行い、各記録媒体間でのオーディオデータ等の情報信号の記録は、蓋体２４の上面に設けた複数の操作キーからなる記録モード選択部２９の操作によって実行される。
【００３７】
蓋体２４の上面には、携帯型の記録再生装置１１と同様に、液晶素子等からなる表示部３０が設けられている。この表示部３０には、現在の操作モードや記憶媒体１記録される情報のインデックス等が表示される。
【００３８】
上述したような記録再生装置１１，２１は、装置内部に構成された記憶媒体装着部に記憶媒体１をローディングするために、ローディング装置が用いられる。このローディング装置として、図５及び図６に示すように構成されたものが用いられる。
【００３９】
図５及び図６に示すローディング装置５１は、記録再生装置１１，２１内の記憶媒体装着部に装着される記憶媒体１が挿入保持されるホルダ５２を備える。ホルダ５２は、薄い金属板を打ち抜き折り曲げて形成されてなるものであって、記憶媒体１が接点部３を設けた一端側を挿入端として挿入されるに足る幅を有し、相対向する両側に挿入される記憶媒体１の両側を支持する一対の側壁５３，５４が立ち上がり形成され、一端側を記憶媒体１の挿入側としている。一方の側壁５３には、ホルダ５２に挿入された記憶媒体１に設けた第１の係合凹部７に係合する係合保持片５５が設けられている。係合保持片５５は、一方の側壁５３の一部を切り起こして形成され、基端部側を側壁５３への連結部とし、記憶媒体１の挿入方向に向かって延長され、先端部に記憶媒体１の第１の係合凹部７に係合する係合部５６が設けられている。係合部５６は、係合保持片５５の先端部を円弧状に折り曲げて形成され、ホルダ５２の記憶媒体１の挿入側に膨出されている。
【００４０】
ホルダ５２の他端側には、ホルダ５２に挿入された記憶媒体１の一端側に設けた接点部３の各接点３ｂがそれぞれ電気的且つ機械的に接続される複数の接続端子５７を設けたコネクター５８が配設されている。コネクター５８は、図７に示すように、絶縁体である合成樹脂からなる端子支持体５９に複数の接続端子５７を並列して支持し、端子支持体５９の他端側に外部接続用のフレキシブルプリント基板６０が接続されている。
【００４１】
コネクター５８は、薄い金属板を打ち抜き折り曲げて断面コ字状に形成したコネクターケース６１に取り付けられ、コネクターケース６１を介してホルダ５２の他端側に取り付けられてる。コネクターケース５９は、相対向する両側に、コネクター５８の支持を図ると共に、ホルダ５２への取付片となる一対の側壁６２，６３が立ち上がり形成され、背面側にコネクター５８の取付位置を規制する立ち上がり壁６４が形成されている。コネクター５８は、端子支持体５９の両端を一対の側壁６２，６３により挟持し、端子支持体５９の背面側を立ち上がり壁６４に突き当てることにより、取付位置が位置規制されてコネクターケース５９に支持される。このとき、コネクター５８は、コネクターケース５９からの脱落を防止するため、端子支持体５９の両端に設けた係合凹部を側壁６２，６３の一部を膨出形成した係合突部に係合させて取り付けられている。
【００４２】
コネクター５８を取り付けたコネクターケース６１は、図５に示すように、コネクター５８側をホルダ５２に対向させ、一対の側壁６２，６３を、ホルダ５２の一対の側壁５３，５４間に嵌合させるようにして取り付けられる。このとき、コネクターケース６１は、側壁６２，６３の一部を切り起こして形成した複数の係合片６５を、ホルダ５２側の側壁５２，５３に穿設した複数の係合孔６６にそれぞれ係合させることによって、ホルダ５２に一体的に取り付けられる。
【００４３】
コネクターケース６１は、ホルダ５２に取り付けられ、ホルダ５２と共に記憶媒体１の保持する機能を実現している。すなわち、側壁６２，６２の先端側には、ホルダ５２に挿入された記憶媒体１の底面側を支持するＬ字状をなす記憶媒体支持片６７，６７が折り曲げ形成されている。
【００４４】
上述のように、コネクター５８を取り付けたコネクターケース６１をホルダ５２に組み合わせることにより、ホルダ５２とコネクターケース６１との間に記憶媒体１の収納保持部が構成される。記憶媒体１は、接点部３側を挿入端として、ホルダ５２のコネクター５８が配設される側に対向する開放された一端側からホルダ５２とコネクターケース６１との間の収納保持部に挿入され、接点部３をコネクター５８に接続させる。
【００４５】
ところで、コネクター５８に設けられる複数の接続端子５７中の最も外側に位置する電源のグランド端子となる２本の接続端子５７１、５７１０の長さＬ１が、図８示すように、他の接続端子５７の長さＬ２より長く形成されている。これは、記憶媒体１がホルダ５２に挿入されたとき、両側の接点３ａがグランド端子となる２本の接続端子５７１、５７１０に最先に接続され、装置本体側との電源との確実な接続を実現するようにしている。また、複数の接続端子５７中の中央部に設けられる記憶媒体１の挿抜を検出する接続端子５７５は、最も短い長さＬ３をもって形成されている。このように挿抜検出用の接続端子５７５を形成することにより、図８に示すように、記憶媒体１をホルダ５２に挿入するときには、他の接続端子５７に接点３ａが接続された後挿抜検出用の接続端子５７５に接続され、記憶媒体１をホルダ５２から抜き取るイジェクトを行う際には、最先に接点３ａとの接続が解消されるので、記憶媒体１のコネクター５８に対する正確な接続状態を検出することができ、記憶媒体１と装置本体側との確実な信号の授受を実現できる。
【００４６】
上述のように、記憶媒体１が電気的に接続されるコネクター５８を取り付けたホルダ５２は、ホルダ５２に挿入保持された記憶媒体１を装置本体内の所定装着位置にローディングし得るように、装置本体を構成するハウジング１２，２２内に配設されるベース６９に固定して取り付けられたシャーシ７１に移動可能に取り付けられる。ベース６９は、薄い平板状をなす金属板を打ち抜いて形成されている。
【００４７】
シャーシ７１は、薄い金属板を打ち抜き折り曲げて形成されてなるものであって、図５に示すように、矩形状の枠体を構成するように形成され、相対向する両側にホルダ５２を支持する第１及び第２の支持壁７２，７３が立ち上がり形成されている。第１及び第２の支持壁７２，７３には、ホルダ５２の第１及び第２の側壁５３，５４の一部を突出させ、第１及び第２の側壁５３，５４に一体に形成した支軸７４，７５が係合される長孔として形成されたスライドガイド孔７６，７７が穿設されると共に、ホルダ５２の底面側を支持するホルダ支持片７８，７９が設けられている。スライドガイド孔７６，７７は、シャーシ７１を機器本体内に取り付けたとき、機器本体の内方に位置する側に設けられ、ホルダ支持片７８，７９は、記憶媒体１が挿入される側に位置して、断面Ｌ字状をなすように形成されている。
【００４８】
ホルダ５２は、図９及び図１０に示すように、シャーシ７１の第１及び第２の支持壁７２，７３間に嵌合するように配設され、支軸７４，７５をスライドガイド孔７６，７７に挿入係合させ、底面側の両側をホルダ支持片７８，７９により支持されることにより、記憶媒体１の挿脱を可能となすイジェクト位置と記憶媒体１を装着位置まで移動させるローディング位置との間に亘って移動可能に支持される。
【００４９】
なお、ホルダ５２の第１及び第２の側壁５３，５４には、シャーシ７１側の第１及び第２の支持壁７２，７３との接触抵抗を小さくなす突出部５３ａ，５４ａが形成されている。このような突出部５３ａ，５４ａが形成されることにより、ホルダ５２は、シャーシ７１に対する円滑な移動が保証される。
【００５０】
上述のようにシャーシ７１に移動可能に支持されたホルダ５２には、図９に示すように、ホルダ５２が記憶媒体１の挿脱を可能とする初期位置にあって、このホルダ５２に挿入される記憶媒体１の接点部３がホルダ５２側に設けたコネクター５８に接続されるまでホルダ５２をロックし、その後ロックを解除し、ホルダ５２の記憶媒体装着位置方向への移動を可能となすロック機構８１が設けられている。
【００５１】
ロック機構８１は、ホルダ５２の内方側の一方のコーナ部に回動可能に支持されたロックレバー８２を備えている。ロックレバー８２は、図５に示すように、先端側にシャーシ７１の一部に係合するロック片８３が設けられ、基端部側に枢支孔８４が穿設されている。このロックレバー８２は、図９に示すように、枢支孔８４をホルダ５２の平面部の一部を突出させて形成した支軸８５に枢支することによって、この支軸８５を中心に回動可能に支持されている。ロックレバー８２は、基端部側に設けた記憶媒体押圧片８６とホルダ５２に取り付けられたコネクター５８の端子支持体５９に設けたバネ係合凹部８７と間に配設された付勢部材である圧縮コイルバネ８８により、先端側のロック片８３がシャーシ７１側に突出する図９中矢印Ａ１方向に回動付勢されている。
【００５２】
ロックレバー８２は、図９に示すように、ホルダ５２が記憶媒体１の挿脱を可能とする初期位置にあるとき、圧縮コイルバネ８８に付勢され、ロック片８３を、ホルダ５２の第１の側壁５３に挿入保持片５５を形成することによって穿設された挿通孔８９を介してシャーシ７１側に突出されている。シャーシ７１側に突出されたロック片８３は、図１１に示すように、シャーシ７１の第１の支持壁７２の一部を切り欠いて形成した係合凹部９０に係合し、ホルダ５２の記憶媒体挿入方向の図９中矢印Ｘ１方向への移動を規制している。
【００５３】
本発明に係るローディング装置は、記憶媒体１が挿入されたホルダ５２のローディング操作とイジェクト操作を制御するローディング制御機構９１が設けられている。このローディング装置は、更に、記憶媒体１が挿入保持されたホルダ５２が記録再生装置内の記録再生位置に移動操作されるときに、このホルダ５２を記憶媒体１の装脱を可能とするイジェクト位置に移動させる付勢力が蓄積される第１の付勢手段の付勢力の方向を制御し、記録再生位置に挿入されたホルダ５２をイジェクト位置に移動制御する付勢方向制御部材１３０と、この付勢方向制御部材１３０の移動を制御し、第１及び第２の付勢手段に付勢力を蓄積させ、あるいは第１及び第２の付勢手段に蓄積された付勢力を解放させる付勢力解放制御手段としての付勢力解放制御機構１３１を備えている。
【００５４】
ここで、第１の付勢手段は、ホルダ５２とこのホルダ５２が移動可能に支持されたシャーシ７１が取り付けられるベース６９との間に張設される第１の引っ張りバネ１３２によって構成される。
【００５５】
まず、ローディング制御機構９１を説明すると、ローディング制御機構９１は、図９及び図１０に示すように、ホルダ５２を記憶媒体１の挿脱方向に移動可能に支持したシャーシ７１の第２の支持壁７３側には設けられている。このローディング制御機構９１は、第２の支持壁７３上を図９中矢印Ｘ１方向又は矢印Ｘ２方向に移動可能に支持されたスライダ９２と、スライダ９２に回動可能に支持され、スライダ９２と共に移動される揺動レバー９３と、スライダ９２とシャーシ７１との間に張設されてスライダ９２を図９中矢印Ｘ２方向のイジェクト方向に移動付勢する第２の付勢手段を構成する第２の引っ張りコイルバネ９４と、スライダ９２とホルダ５２との間に亘って張設されてホルダ５２を図１０中矢印Ｘ１方向の記憶媒体１の挿入方向に移動付勢する第２の付勢部材としての第２の引っ張りコイルバネ９５とを備える。
【００５６】
スライダ９２は、図５に示すように、長尺な細板状に形成され、長手方向の両側をシャーシ７１の第２の支持壁７３の両側に形成した複数の係止片９６，９７に係止され、第２の支持壁７３上を移動可能に支持されている。
【００５７】
揺動レバー９３は、基端部側に設けた支軸９８をスライダ９２の一端側に穿設した枢支孔１０３に枢支させることにより、支軸９８を中心に、図１２中に矢印Ｃ方向及び矢印Ｄ方向に回動可能に支持されている。この揺動レバー９３の支軸９８を中心とした回動範囲は、シャーシ７１の一部とこのシャーシ７１に移動可能に支持されたホルダ５２とによって規制される。すなわち、揺動レバー９３は、図１２に示すように、第２の支持壁７３の一側縁を折り返して形成した回動規制片９９とホルダ５２の一側縁から突設された回動規制片１００と間で回動するように回動範囲が規制されている。
【００５８】
揺動レバー９３は、シャーシ７１の側壁５４とスライダ９２との間に挟持されるようにして配設されることによりスライダ９２からの脱落が防止されている。支軸９８は、揺動レバー９３の一部を打ち出しにより突出させて形成されている。なお、スライダ９２には、図９に示すように、側壁５４との間に揺動レバー９３を配設するための空間を確保するための折り返し部９２ａ，９２ｂが設けられている。
【００５９】
揺動レバー９３の先端側の一側には、ホルダ５２の一部に係合する傾斜面部として形成された係合部１０１が設けられている。この係合部１０１は、図９及び図１２に示すように、ホルダ５２の移動方向に対し傾斜して設けられ、ホルダ５２が図８に示す初期位置にあるときホルダ５２の一部に係合する。ホルダ５２側の係合部１０１が係合する部分は、揺動レバー９３の回動を規制する回動規制片１００の先端側の一部を切り起こして形成した部分であって、揺動レバー９３の押圧操作片１０２である。
【００６０】
揺動レバー９３の係合部１０１が設けられた側とは反対側の側縁の中途部には、シャーシ７１側の回動規制片９９に当接し、ホルダ５２が初期値から記憶媒体挿入方向への移動、すなわち図９中矢印Ｘ１方向へ所定量移動されたとき、シャーシ７１側の回動規制片９９の一部を切り欠いて形成した係合孔１０５に係合する係合する係合片１０６が突設されている。なお、係合孔１０５の係合片１０６が係合する側に側縁には、係合片との確実な係合を図るため、立ち上がり片１０７が形成されている。
【００６１】
上述のように構成された揺動レバー９３を支持したスライダ９２は、長手方向の中途部に形成したバネ係止片１０８とシャーシ７１に設けたバネ係止片１０９との間に張設された第２の引っ張りコイルバネ９４により、図１２中矢印Ｘ２方向に付勢されている。すなわち、スライダ９２は、第２の引っ張りコイルバネ９４により、ホルダ５２に記憶媒体１を挿入する方向とは逆方向のイジェクト方向に付勢されている。
【００６２】
また、スライダ９２とホルダ５２との間に張設される第３の引っ張りコイルバネ９５は、スライダ９２の先端側に形成したバネ係止片１１０とホルダ５２の一側の中途部に形成したバネ係止片１１１との間に張設され、ホルダ５２を図１０中矢印Ｘ１方向の記憶媒体１の挿入方向に移動付勢している。
【００６３】
シャーシ７１の一端側、すなわち、ホルダ５２に対し記憶媒体１の挿脱を行うための記憶媒体挿脱部１１２が設けられる側には、記憶媒体挿脱部１１２を開閉し、このローディング装置５１を前述した図３又は図４に示すような記録再生装置１１，２１に組み込んだとき、これら記録再生装置１１，２１に設けた記憶媒体挿脱口１３，２７に対向し、これら挿脱口１３，２７を開閉する開閉蓋１１５が取り付けられている。
【００６４】
開閉蓋１１５は、図９及び図１０に示すように、記憶媒体挿脱部１１２を開閉する覆部１１６の両側に設けた一対の回動アーム１１７，１１８をシャーシ７１の記憶媒体挿脱部１１２が形成された側の両側に支持させることによって、記憶媒体挿脱部１１２を開閉するように回動可能に取り付けられる。すなわち、開閉蓋１１５は、回動アーム１１７，１１８の先端部に穿設した枢支孔１１ａ，１１８ａをシャーシ７１の第１及び第２の支持壁側壁７２，７３に突設した支軸１１９，１２０に枢支させ、これら支軸１１９，１２０を中心に回動可能に取り付けられている。開閉蓋１１５は、回動付勢部材としてのねじりコイルバネ１２１により記憶媒体挿脱部１１２若しくは記憶媒体挿脱口１３，２７を常時閉塞する方向の図９中矢印Ｅ方向に回動付勢されている。ねじりコイルバネ１２１は、コイル部を他方の回動アーム１１８に突設した支軸１１８ｂに挿通し、一方のアーム部１２１ａをシャーシ７１側に設けたバネ係止片１０９に係止し、他方のアーム部１２１ｂを開閉蓋１１５側に設けたバネ係止部１２３に形成させることにより、開閉蓋１１５を図１０中矢印Ｅ方向に回動付勢している。
【００６５】
開閉蓋１１５は、シャーシ７１の両側に突設した回動規制片１２４，１２５に回動アーム１１７，１１８を当接させることにより、ねじりコイルバネ１２１による回動付勢位置が規制され、記憶媒体挿脱部１１２を閉塞した位置に保持されている。
【００６６】
開閉蓋１１５は、図９に示すように、覆部１１６をシャーシ７１の先端から突出するように取り付けられている。シャーシ７１から突出した覆部１１６の上面は、ホルダ５２に挿入される記憶媒体１によって押圧操作される押圧操作部１１６ａとされている。すなわち、開閉蓋１１５は、覆部１１６の上面の押圧操作部１１６ａ側から押圧操作されることにより、ねじりコイルバネ１２１の付勢力に抗して記憶媒体挿脱部１１２を開放する方向の図１０中矢印Ｆ方向に回動操作される。
【００６７】
覆部１１６の内面、すなわち、ホルダ５２に挿入された記憶媒体１の背面と対向する面は、図１０に示すように、湾曲面１１６ａ若しくは傾斜面とされている。覆部１１６の内面に湾曲面１１６ａ若しくは傾斜面を設けることにより、ホルダ５２からイジェクトされる記憶媒体１によって湾曲面１１６ａ若しくは傾斜面が押圧操作されることにより、開閉蓋１１５をねじりコイルバネ１２１の付勢力に抗して回動させるようにすることができる。開閉蓋１１５は、記憶媒体１のイジェクト操作に関連して記憶媒体挿脱部１１２若しくは記憶媒体挿脱口１３，２７を開放する方向に回動される。
【００６８】
上述のように構成された本発明に係るローディング装置５１は、ホルダ５２が記憶媒体１の挿脱を可能とする図９、図１０に示すイジェクト位置である初期位置にあるとき、ホルダ５２は、記憶媒体１の挿脱部側をシャーシ７１の記憶媒体挿脱部１１２に最も近接した位置に置かれる。このとき、揺動レバー９３を支持したスライダ９２は、第２の引っ張りコイルバネ９４の付勢力を受けて、図１０及び図１２中矢印Ｘ２方向に移動付勢され、このスライダ９２に支持された揺動レバー９３も同方向に移動付勢されている。揺動レバー９３は、初期位置にあるとき、係合片１０６をシャーシ７１に設けた回動規制片９９に当接させ、図１２中矢印Ｃ方向への移動が規制された状態で、係合部１０１をホルダ５２に設けた押圧操作片１０２に当接係合させている。このとき、第２の引っ張りコイルバネ９４により図１０及び図１２中矢印Ｘ２方向に移動付勢されたスライダ９２に支持された揺動レバー９３は、図１０及び図１２中矢印Ｘ２方向に移動付勢されながら係合片１０６を回動規制片９９に当接させているので、回動規制片９９への当接方向とは逆方向の支軸９８を中心に図１０及び図１２中矢印Ｄ方向に回動付勢された状態にあり、係合部１０１をホルダ５２の押圧操作片１０２に圧接させている。
【００６９】
ホルダ５２は、図９及び図１０に示す初期位置にあるとき、揺動レバー９３の係合部１０１が押圧操作片１０２に当接しているので、スライダ９２との間に張設された第２の引っ張りコイルバネ９５による図１０、図１２中矢印Ｘ１方向への記憶媒体挿入方向への移動が規制された状態にある。
【００７０】
なお、ホルダ５２の初期位置は、支軸７４，７５をシャーシ７１側のスライドガイド孔７６，７７の端部に当接させることにより規制されている。
【００７１】
更に、ホルダ５２が初期位置にあるとき、ロック機構８１を構成するロックレバー８２が圧縮コイルバネ８８の付勢力を受けて図９中矢印Ａ１方向に回動付勢され、ロック片８３をシャーシ７１の係合凹部９０に係合させ、ホルダ５２の図９中矢印Ｘ１方向の記憶媒体挿入方向への移動を規制した状態におく。
【００７２】
更にまた、開閉蓋１１５も、ねじりコイルバネ１２１の付勢力を受けて記憶媒体挿脱部１１２を閉塞した位置に回動付勢されている。
【００７３】
次に、記録再生装置内の記録再生位置にローディングされたホルダ５２をイジェクト位置に移動させる挿入されるときに、第１の引っ張りバネ１３２に付勢力を蓄積させ、第１の引っ張りバネ１３２の付勢力の方向を制御し、記録再生位置に挿入されたホルダ５２をイジェクト位置に移動制御する付勢方向制御部材１３０と、この付勢方向制御部材１３０の移動を制御し、第１の引っ張りバネ１３２に付勢力を蓄積させ、あるいは第１の引っ張りバネ１３２に蓄積された付勢力を解放させる付勢力解放制御機構１３１を説明する。この付勢力解放制御機構１３１は、ホルダ５２に挿入保持された記憶媒体１にイジェクト操作を行うイジェクト機構として機能する。
【００７４】
付勢方向制御部材１３０は、図６及び図１３に示すように、ホルダ５２を移動可能に支持したシャーシ７１が取り付けられるベース６９の底面側、すなわち、シャーシ７１が取り付けられる面とは反対側の面に、ホルダ５２の移動方向と同方向の図１３中矢印Ｘ１方向又は矢印Ｘ２方向に移動可能に支持されている。この付勢方向制御部材１３０は、長尺な薄板状の部材として形成され、移動方向を長径として形成された一対の移動ガイド孔１３４，１３４を、ベース６９の底面側に設けた一対の移動ガイド軸１３５，１３５に挿通支持されている。付勢方向制御部材１３０は、一対の移動ガイド軸１３５，１３５にガイドされ、移動ガイド孔１３４，１３４の長径方向の範囲で図１３中矢印Ｘ１方向又は矢印Ｘ２方向に移動する。
【００７５】
移動ガイド軸１３５，１３５は、ベース６９の一部にバーリング加工を施すことによって円筒状に形成されている。一対の移動ガイド軸１３５，１３５の先端部は、折り返されることによって付勢方向制御部材１３０の抜け止め片１３５ａを構成している。一対の移動ガイド軸１３５，１３５の基端部側には、付勢方向制御部材１３０の載置面側に向かって膨出部１３５ｂが設けられている。これら膨出部１３５ｂは、長尺な付勢方向制御部材１３０をベース６９の底面から離間させて支持することにより、付勢方向制御部材１３０が移動するときの摩擦抵抗を軽減し、円滑な移動を保証するものである。
【００７６】
付勢方向制御部材１３０によって付勢力の方向が制御される第１の引っ張りバネ１３２は、この付勢方向制御部材１３０と揺動レバー９３が支持されたスライダ９２と間に張設されている。すなわち、第１の引っ張りバネ１３２は、第３の引っ張りバネ９５の一端が係止されるバネ係止片１１０が設けられたスライダ９２の先端側に設けられた他のバネ係止片１３６と、付勢方向制御部材１３０の中途部の一側に突設されたバネ係止片１３７との間に張設されている。このように張設された第１の引っ張りバネ１３２は、付勢方向制御部材１３０及びスライダ９２を互いに近接する方向に付勢しており、図１０に示すように、付勢方向制御部材１３０側に設けた当接片１４２とスライダ９２側に設けた当接片１２９とを当接させ、付勢方向制御部材１３０とスライダ９２とを一体化している。
【００７７】
スライダ９２は、前述したように、シャーシ７１との間に張設された第２の引っ張りバネ９４によって図１０中矢印Ｘ２方向に常時移動付勢されているので、このスライダ９２に第１の引っ張りバネ１３２を介して連結されて一体化された付勢方向制御部材１３０も、同方向の図１３中矢印Ｘ２方向に移動付勢されている。したがって、付勢方向制御部材１３０は、ホルダ５２が図９及び図１０に示す初期位置にあるときには、図１３示すように、移動ガイド孔１３４，１３４の内方側の端部、すなわちホルダ５２の挿入方向側の端部を移動ガイド軸１３５，１３５に当接させた状態にある。
【００７８】
付勢方向制御部材１３０の移動を制御し、第１の引っ張りバネ１３２に付勢力を蓄積させ、あるいは第１の引っ張りバネ１３２に蓄積された付勢力を解放させる付勢力解放制御機構１３１は、本例にあっては、付勢方向制御部材１３０の移動を規制するトリガーレバー１３７と、このトリガーレバー１３７を操作するソレノイドプランジャ１３８とを備える。
【００７９】
ソレノイドプランジャ１３８は、ベース６９上に固定された取付基台１４７に設けた位置決めピン１４７ａに位置決め孔１３８ａを係合させ、固定ネジ１３８ｂにより固定されて上記取付基台１４７に取り付けられている。
【００８０】
トリガーレバー１３７は、図６及び図１３に示すように、略Ｌ字状に形成され、一端側に付勢方向制御部材１３０の先端側の一側に折り曲げ形成した被係止片１３０ａに係合する係合片１３９が設けられ、他端側にソレノイドプランジャ１３８のプランジャロッド１４０に押圧操作される押圧操作部１４１が設けられている。押圧操作部１４１は、凹状部として形成され、プランジャロッド１４０の先端部が嵌合されることによって、プランジャロッド１４０と関連されている。
【００８１】
このトリガーレバー１３７は、図１３及び図１４に示すように、略中央部の折り曲げ部に設けた軸挿通部１４３をベース６９に植立した支軸１４４に挿通し、この支軸１４４を中心にして、図１３中矢印Ｒ１方向又は矢印Ｒ２方向に回動可能に支持されている。トリガーレバー１３７も、ベース６９面上を円滑に回動し得るように、図１４に示すように、一端側のベース６９と対向する面側に摺動突起１３７ａが突設されている。
【００８２】
なお、支軸１４４の先端部にはワッシャー１４５が取り付けられ、トリガーレバー１３７の支軸１４４からの抜け止めを図っている。
【００８３】
トリガーレバー１３７は、軸挿通部１４３に巻回された捩りコイルバネ１４６により支軸１４４を中心にして図１３中矢印Ｘ１方向に回動付勢されている。すなわち、トリガーレバー１３７は、一端側の係合片１３９を付勢方向制御部材１３０の被係止片１３０ａに係合させる方向に常時回動付勢されている。
【００８４】
捩りコイルバネ１４６は、コイル部１４６ａを軸挿通部１４３に挿通し、コイル部１４６ａから延長された一方のアーム部１４６ｂをソレノイドプランジャ１３８が取り付けられた取付基台１４７の一側に突設した係止突片１４８に係止させ、他方のアーム部１４６ｃをトリガーレバー１３７の他端部側の中途部に設けた係止突片１３７ｂに係止させて取り付けられるとにより、トリガーレバー１３７を図１３中矢印Ｒ１方向に回動付勢している。
【００８５】
トリガーレバー１３７は、捩りコイルバネ１４６により図１３中矢印Ｒ１方向に回動付勢されることにより、一端側の係合片１３９を付勢方向制御部材１３０の被係止片１３０ａに係合させ、付勢方向制御部材１３０の図１３中矢印Ｘ１方向の移動を規制している。すなわち、付勢方向制御部材１３０は、ホルダ５２が初期位置にあるときや、記録再生位置に移動された状態にあるときには、トリガーレバー１３７によって、ホルダ５２の挿入方向である図１３中矢印Ｘ１方向の移動が規制されている。
【００８６】
捩りコイルバネ１４６により回動付勢されたトリガーレバー１３７は、ソレノイドプランジャ１３８の通電によって、捩りコイルバネ１４６の付勢力に抗して、係合片１３９の付勢方向制御部材１３０に対する係合を解除する方向の図１３中矢印Ｒ２方向に回動される。
【００８７】
ここでソレノイドプランジャ１３８は、プランジャロッド１４０を図示しないマグネットによって図１３中矢印Ｓ１方向に吸引している吸着型のものが用いられ、駆動コイル１３８ａに通電されると、プランジャロッド１４０を図１３中矢印Ｓ２方向に突出させる。
【００８８】
ソレノイドプランジャ１３８に通電され、プランジャロッド１４０が図１３中矢印Ｓ２方向に突出されると、トリガーレバー１３７は、プランジャロッド１４０によって押圧操作部１４０が押圧され、捩りコイルバネ１４６の付勢力に抗して、図１３中矢印Ｒ２方向に回動され、係合片１３９の付勢方向制御部材１３０に対する係合を解除する。
【００８９】
ところで、付勢方向制御部材１３０は、トリガーレバー１３７によって移動が規制された状態に置かれることにより、ホルダ５２が装置内の記録再生位置方向の図１３中矢印Ｘ１方向に移動されることにより、第１の引っ張りバネ１３２に付勢力を蓄積させる。すなわち、ホルダ５２が図１３中矢印Ｘ１方向に移動されると、このホルダ５２と一体に移動可能となされたスライダ９２がホルダ５２とともに図１３中矢印Ｘ１方向に移動されることにより、移動が規制された付勢方向制御部材１３０に対し第１の引っ張りバネ１３２が伸張され付勢力が蓄積される。
【００９０】
なお、シャーシ７１に移動可能に支持されたスライダ９２は、ホルダ５２が図１３中矢印Ｘ１方向の記憶媒体挿入方向に移動されるとき、後述するように、ホルダ５２とともに移動され、第２の引っ張りバネ９４を伸張させ、この引っ張りバネ９４にホルダ５２をイジェクト方向に移動させる付勢力を蓄積させる。スライダ９２は、第２の引っ張りバネ９４を所定量伸張させるまで移動されると、更なる記憶媒体挿入方向への移動が規制され、ホルダ５２がスライダ９２から分離して図１３中矢印Ｘ１方向の記憶媒体挿入方向に移動可能な状態となる。この状態となったホルダ５２は、第３の引っ張りバネ９５の付勢力を受けて図１３中矢印Ｘ１方向の記憶媒体挿入方向に移動され、記憶媒体１を記録再生位置にローディングする。
【００９１】
このように、ホルダ５２が記録再生装置内の記録再生位置に移動され、第１の引っ張りバネ１３２に付勢力が蓄積された状態、すなわち、ホルダ５２に挿入保持した記憶媒体１を記録再生位置にローディングされた状態にあって、ソレノイドプランジャ１３８に通電され、プランジャロッド１４０が図１３中矢印Ｓ２方向へ突出され、トリガーレバー１３７が捩りコイルバネ１４６の付勢力に抗して図１３中矢印Ｒ２方向に回動されと、係合片１３９による付勢方向制御部材１３０の移動の規制が解除され、付勢方向制御部材１３０は、第１の引っ張りバネ１３２の付勢力を受けて、図１３中矢印Ｘ１方向に移動される。このとき、ホルダ５２は、図１３中矢印Ｘ２方向に移動される。
【００９２】
付勢方向制御部材１３０は、第１の引っ張りバネ１３２に蓄積された付勢力が解放されると、一旦図１３中矢印Ｘ１方向に移動する。このとき、付勢方向制御部材１３０は、記憶媒体挿入方向への移動が規制された状態にあるスライダ９２の当接片１２９に付勢方向制御部材１３０側の当接片１４２を当接させるまで図１３中矢印Ｘ１方向に移動する。付勢方向制御部材１３０が第１の引っ張りバネ１３２の付勢力を受けて図１３中矢印Ｘ１方向に移動するとき、ホルダ５２は、後述するように、逆方向の図１３中矢印Ｘ２方向のイジェクト方向に移動される。
【００９３】
付勢方向制御部材１３０は、当接片１４２をスライダ９２の当接片１２９に当接させる位置まで移動されると、第１の引っ張りバネ１３２に蓄積された付勢力の殆どが解放され、スライダ９２の図１３中矢印Ｘ１方向への移動によって第２の引っ張りバネ９３に蓄積された付勢力を受けて、スライダ９２と一体に図１３中矢印Ｘ２方向のイジェクト方向に移動される。なお、移動が規制されていたスライダ９２は、ホルダ５２の図１３中矢印Ｘ１方向への移動によりその規制が解除され、ホルダ５２と一体に第２の引っ張りバネ９３に蓄積された付勢力を受けて図１３中矢印Ｘ２方向のイジェクト方向に移動される。
【００９４】
更に、ベース６９の底面側には、付勢方向制御部材１３０の図１３中矢印Ｘ１方向への移動により回動操作される付勢方向変換レバー１５１が設けられている。付勢方向変換レバー１５１は、付勢方向制御部材１３０の第１の引っ張りバネ１３２の付勢力を受けた移動によってローディング位置にあるホルダ５２を、付勢方向制御部材１３０の移動方向とは逆方向の図１３中矢印Ｘ２方向のイジェクト方向に移動させるものである。
【００９５】
付勢方向変換レバー１５１は、図６及び図１３に示すように、ベース６９の底面側に設けた支軸１５２に中央部に穿設した軸挿通孔１５３を挿通し、支軸１５２を中心に図１３中矢印Ｔ１方向又は矢印Ｔ２方向に回動可能に支持されている。支軸１５２は、ベース６９の一部にバーリング加工を施すことによって円筒状に形成され、先端部が折り返されることによって付勢方向変換レバー１５１の抜け止め片１５２ａを構成している。また、支軸１５２の基端部側には、付勢方向変換レバー１５１をベース６９の底面から離間させて支持して円滑な回動を保証するようにするため、付勢方向変換レバー１５１の軸挿通孔１５３の周縁を支持する膨出部１５２ｂが設けられている。更に、ベース６９の底面側には、付勢方向変換レバー１５１のベース６９との接触面積を小さくして回動操作時の摩擦抵抗を低減させる突条部１５４が突設されている。
【００９６】
支軸１５２に回動可能に支持された方向変換レバー１５１は、図１３に示すように、一端側に設けた半円状の第１の押圧操作部１５５を付勢方向制御部材１３０の中途部の一部を切り起こして形成した押圧片１５６に対向させ、他端側に設けた半円状の第２の押圧操作部１５７をホルダ５２の一部を切り起こして形成した被押圧片１５８に対向させている。
【００９７】
方向変換レバー１５１は、付勢方向制御部材１３０が第１の引っ張りバネ１３２の付勢力を受けて図１３中矢印Ｘ１方向移動されたとき、押圧片１５６により第１の押圧操作部１５５が押圧され、支軸１５２を中心にして図１３中矢印Ｔ１方向に回動される。方向変換レバー１５１が図１３中矢印Ｔ１方向に回動されると、第２の押圧操作部１５７が、記録再生位置にローディングされているホルダ５２に設けた被押圧片１５８を押圧し、ホルダ５２を図１３中矢印Ｘ２方向のイジェクト方向に移動させる。方向変換レバー１５１は、付勢方向制御部材１３０の移動方向を変換してホルダ５２をイジェクト方向に移動させる。
【００９８】
なお、ホルダ５２を移動可能に支持したシャーシ７１は、スライダ９２が設けられる側とは反対側の側壁５３側に突設した支持片１６１を固定ネジ１６２により固定し、背面側の一部を折り返して形成した一対の支持片１６３，１６３をベース６９の背面側の一部を折り返して形成した取付片１６４，１６４に固定ネジ１６５を介して固定することにより、ベース６９に取り付けられている。
【００９９】
次に、上述のように構成された本発明に係るローディング装置５１を用いて記憶媒体１を記録再生装置内の記録再生位置にローディングし、更に、記録再生位置に装着された記憶媒体１をイジェクト操作する手順を説明する。
【０１００】
まず、記憶媒体１を記録再生位置にローディングするためには、図１５、図１６及び図１７に示すように、接点部３が設けられた一端側を挿入端として記憶媒体１を記憶媒体挿脱部１１２を介してホルダ５２内に挿入する。記憶媒体１をホルダ５２に挿入するとき、記憶媒体１の挿入端側の平面により押圧操作部１１６ａを押圧し、図１６示すように、開閉蓋１１５をねじりコイルバネ１２１の付勢力に抗して回動させて記憶媒体挿脱部１１２を開放する。
【０１０１】
このとき、記憶媒体１は、誤挿入防止溝５が設けられた側をホルダ５２内のロックレバー８２が設けられた側に位置させて挿入される。
【０１０２】
記憶媒体１の挿入端となる接点部３が設けられ側には、複数の接点３ａを仕切る仕切壁が突設されているので、接点部３側を開閉蓋１１５に当接させても、開閉蓋１１５等が接点３ａに直接接触することが防止されている。
【０１０３】
開閉蓋１１５を回動させ、接点部３が設けられた側をホルダ５２に臨ませ、更に記憶媒体１をホルダ５２内に挿入すると、図８に示すように、接点部３の各接点３ａがホルダ５２側に設けたコネクター５８の各接続端子５７に電気的且つ機械的に接続される。接点部３がコネクター５８に接続されるとき、前述したように、最も長いグランド端子となる２本の接続端子５７１、５７１０に両側の接点３ａが最先に接続され、最後に最も短い接続端子５７５に中央の接点３ａが接続されるので、全ての接点３ａがコネクター５８側の接続端子５７に電気的に接続されることにより、ホルダ５２に記憶媒体１が挿入されたことが検出される。このような構成を採用することにより、記憶媒体１のホルダ５２への確実な挿入を実現できる。
【０１０４】
記憶媒体１が接点部３とコネクター５８との接続が行われる位置までホルダ５２内に挿入されると、挿入保持片５５の係合部５６が第１の係合凹部７に係合し、記憶媒体１のホルダ５２に対する確実な保持を図る。
【０１０５】
ホルダ５２は、記憶媒体１の接点部３がホルダ５２に取り付けたコネクター５８に完全に接続されるまでロック機構８１により移動が規制された状態に置かれている。すなわち、記憶媒体１の接点部３がコネクター５８に完全に接続されるまで、図１５に示すように、ロックレバー８２がシャーシ７１の係合凹部９０に係合しホルダ５２の移動を規制している。
【０１０６】
接点部３とコネクター５８との接続が行われるまで、ホルダ５２の移動が規制されるので、接点部３とコネクター５８との接続を記憶媒体１のホルダ５２への挿入操作のみで行うことができ、記憶媒体１のホルダ５２への挿入操作、電気的且つ機械的な接続操作が極めて容易となる。
【０１０７】
接点部３とコネクター５８との接続が行われた後、更に記憶媒体１を図１５中矢印Ｘ１方向の記憶媒体挿入方向に挿入すると、記憶媒体１の挿入端によって記憶媒体押圧片８６が押圧され、ロックレバー８２が圧縮コイルバネ８８の付勢力に抗して図１５中矢印Ａ２方向に回動され、図１８に示すように、ロック片８３の係合凹部９０への係合が解除され、ホルダ５２の図１８中矢印Ｘ１方向の記憶媒体挿入方向への更なる挿入が可能な状態となる。
【０１０８】
ホルダ５２は、記憶媒体１がホルダ５２に挿入されロックレバー８２のロックが解除された時点まで初期位置にあるので、図１２及び図１９に示すように、ローディング制御機構９１を構成する揺動レバー９３の係合部１０１が押圧操作片１０２に当接した状態にある。すなわち、ホルダ５２は、ロック機構８１によるロックが解除され、記憶媒体挿入方向への移動が可能な状態にあって、押圧操作片１０２を揺動レバー９３の係合部１０１に当接させた状態にある。
【０１０９】
ここで、記憶媒体１を押圧操作してホルダ５２を、図１８中矢印Ｘ１方向の記憶媒体挿入方向へ更に挿入すると、押圧操作片１０２により係合部１０１が押圧され、揺動レバー９３が図１６中矢印Ｘ１方向に移動され、この揺動レバー９３が支持されたスライダ９２が第２の引っ張りコイルバネ９４を伸張させるように同方向に移動される。第２の引っ張りコイルバネ９４は、スライダ９２が移動されて伸張されることにより、ホルダ５２を初期位置方向のイジェクト方向に移動させる付勢力が蓄積される。
【０１１０】
このとき、揺動レバー９３は、係合片１０６をシャーシ７１側の回動規制片９９に当接した状態にあって、図１６中矢印Ｃ方向の回動が規制され、係合部１０１をホルダ５２側の押圧操作片１０２に当接させた状態を維持する。
【０１１１】
すなわち、揺動レバー９３は、図１２に示すように、回動支点となる支軸８９を通る中心線Ｐ１より一側に偏倚した位置に設けた係合部１０１がホルダ５２側の押圧操作片１０２により図１２中矢印Ｇ方向の直線方向に押圧されると、支軸８９を中心に図１２中矢印Ｃ方向に回動付勢される。したがって、揺動レバー９３は、ホルダ５２により押圧操作されるとき、係合部１０１を押圧操作片１０２から離脱させる方向に回動付勢されている。ここで、係合部１０１は、図１２に示すように、押圧操作片１０２による押圧方向に対し一定角度θだけ傾斜させた傾斜面部として形成されている。すなわち、係合部１０１は、押圧操作片１０２によって回動付勢される方向に傾斜されているので、押圧操作片１０２による押圧力を略直交する方向から受けるようすることができ、効率良くホルダ５２により揺動レバー９３を押圧することができる。
【０１１２】
ホルダ５２に設けた押圧操作片１０２が揺動レバー９３に設けた係合部１０１に係合した状態で、ホルダ５２に挿入された記憶媒体１を手指により押圧し、ホルダ５２を図１８中矢印Ｘ１方向の記憶媒体挿入方向へ更に挿入すると、揺動レバー９３は、第２の引っ張りコイルバネ９４を伸張させながらスライダ９２と一体に図１４中矢印Ｘ１方向に移動する。
【０１１３】
このとき、スライダ９２と付勢方向制御部材１３０との間に張設された第１の引っ張りバネ１３２も、スライダ９２の図１８中矢印Ｘ１方向への移動に伴って図２０に示すように伸張される。このとき、付勢方向制御部材１３０は、トリガーレバー１３７により移動が規制された状態にあるので、スライダ９２の図１８中矢印Ｘ１方向の移動量に応じて伸張される。このとき、スライダ９２に設けた当接片１２９は、付勢方向制御部材１３０に設けた当接片１４２への当接が解除されて離間される。
【０１１４】
スライダ９２が図１８中矢印Ｘ１方向に移動し、このスライダ９２とともに同方向に移動する揺動レバー９３に設けた係合片１０６がシャーシ７１側に設けた回動規制片９９の一部を切り欠いて形成した係合孔１０５に対向する位置に至ると、回動規制片９９による揺動レバー９３の回動規制が解除され、揺動レバー９３は図１９及び図２１中矢印Ｃ方向に回動され、係合部１０１の押圧操作片１０２との係合を解除し、係合片１０６を係合孔１０５に係合させる。
【０１１５】
揺動レバー９３の係合片１０６がシャーシ７１側の係合孔１０５に係合すると、スライダ９２は、ホルダ５２によって移動操作され、図１９に示すように、第２の引っ張りコイルバネ９４を伸張させた位置に保持される。このとき、ホルダ５２は、押圧操作片１０２の揺動レバー９３の係合部１０１に対する係合が解除されることにより、第２の引っ張りコイルバネ９４を伸張させた位置に保持されているスライダ９２に対し移動可能な状態となる。ホルダ５２は、このホルダ５２とスライダ９２との間で伸張された状態にある第３の引っ張りコイルバネ９５の付勢力を受け、図１８及び図１９中矢印Ｘ１方向の記憶媒体挿入方向に移動され、図２２及び図２３に示すように、記憶媒体装着位置にまで移動され、保持した記憶媒体１を装着位置にローディングする。
【０１１６】
このとき、第１の引っ張りバネ１３２は、図２０に示すように、最大に伸張された状態となされている。
【０１１７】
なお、ホルダ５２が記憶媒体挿入方向に移動するとき、揺動レバー９３は、係合部１０１が設けられた先端側の一側がホルダ５２側の回動規制片１００に当接し、図２４中矢印Ｄ方向の回動が規制された状態にある。揺動レバー９３の図２４中矢印Ｄ方向の回動が規制されることにより、係合片１０６のシャーシ７１側の係合孔１０５への係合状態が確実に維持され、第１の引っ張りコイルバネ９４を伸張させた状態を維持する。
【０１１８】
記憶媒体１を保持したホルダ５２が記憶媒体装着位置まで引き込まれると、記憶媒体１は装置内に完全に引き込まれ、ホルダ５２に挿入される記憶媒体１によって回動されていた開閉蓋１１５が、ねじりコイルバネ１２１の付勢力を受けて回動され、図２３及び図２５に示すように、記憶媒体挿脱部１１２を閉塞し、記憶媒体１のローディング操作を完了する。
【０１１９】
ホルダ５２に挿入保持された記憶媒体１の記憶媒体装着位置へのローディングが行われたとき、ベース６９の底面側に設けられた方向変換レバー１５１が支軸１５２を中心にして図２５中矢印Ｔ２方向に回動され、一端側の第１の押圧操作部１５５を付勢方向制御部材１３０の中途部に設けた押圧片１５６に近接させる。すなわち、方向変換レバー１５１は、ホルダ５２が記録媒体装着位置方向の図２５中矢印Ｘ１方向に移動すると、ホルダ５２の被押圧片１５８によって第２の押圧操作部１５７が押圧操作することによりよって図２５中矢印Ｔ２方向に回動され、第１の押圧操作部１５５を付勢方向制御部材１３０に設けた押圧片１５６に近接させる。このように、方向変換レバー１５１は、第１の引っ張りバネ１３２を伸張させた位置に移動された付勢方向制御部材１３０の押圧片１５６に第１の押圧操作部１５５を近接させることにより、第１の引っ張りバネ１３２の付勢力が解放され、付勢方向制御部材１３０が図２５中矢印Ｘ１方向に移動したとき、付勢方向制御部材１３０の移動に伴って直ちに回動操作されることが可能となる。その結果、第１の引っ張りバネ１３２に蓄積された付勢力の解放初期の大きな力を有効に利用してホルダ５２を図２５中矢印Ｘ２方向のイジェクト方向に移動させることができ、ホルダ５２の確実なイジェクト操作を実現できる。
【０１２０】
なお、記憶媒体１が挿入されたホルダ５２を記憶媒体装着部に引き込む引き込み力は、第３の引っ張りコイルバネ９５の力量を可変することにより任意に設定することができる。
【０１２１】
上述のように、本発明に係るローディング装置５１は、接点部３がコネクター５８に接続されるまで記憶媒体１をホルダ５２に挿入し、更に手指により記憶媒体１を手指により押圧すると、記憶媒体１をバネ等の付勢部材の付勢力を利用して自動的に所定の記憶媒体装着部に装着させることができる。
【０１２２】
次に、記録再生位置に装着された記憶媒体１をイジェクトする操作について説明する。
【０１２３】
図２２、図２３及び図２５に示すように記憶媒体装着位置に装着された記憶媒体１をイジェクトするには、ソレノイドプランジャ１３８に通電し、トリガーレバー１３７による付勢方向制御部材１３０の移動規制を解除する。
【０１２４】
本発明に係るローディング装置５１を前述した図３又は図４に示すような記録再生装置１１，２１に適用した場合には、記録再生装置１１，２１側に設けたイジェクト操作釦を操作し、ソレノイドプランジャ１３８に通電を行う。
【０１２５】
ソレノイドプランジャ１３８に通電されると、吸引保持されていたプランジャロッド１４０が図２５中矢印Ｓ２方向に突出する。プランジャロッド１４０が図２５中矢印Ｓ２方向に突出すると、プランジャロッド１４０によって押圧操作部１４１が押圧操作されることにより、トリガーレバー１３７が捩りコイルバネ１４６の付勢力に抗して図２５中矢印Ｒ２方向に回動する。トリガーレバー１３７が図２５中矢印Ｒ２方向に回動されると、図２６に示すように、一端側に設けた係合片１３９の付勢方向制御部材１３０の被係止片１３０ａに対する係合が解除される。
【０１２６】
ソレノイドプランジャ１３８の通電は、捩りコイルバネ１４６の付勢力に抗してトリガーレバー１３７を回動し、付勢方向制御部材１３０に対する係合を解除させるに足る僅かの時間で足りる。
【０１２７】
図２６に示すように、トリガーレバー１３７による付勢方向制御部材１３０の移動規制が解除されると、付勢方向制御部材１３０が図２６中矢印Ｘ２方向への移動が可能な状態となる。移動可能となされた付勢方向制御部材１３０は、ホルダ５２の記録再生位置への移動によって第１の引っ張りバネ１３２に蓄積された付勢力を受けて図２６中矢印Ｘ１方向に移動される。このとき、付勢方向制御部材１３０は、記憶媒体挿入方向の図２６中矢印Ｘ１方向への移動が規制された状態にあるスライダ９２の当接片１２９に付勢方向制御部材１３０側の当接片１４２を当接させるまで図２６中矢印Ｘ１方向に移動する。
【０１２８】
付勢方向制御部材１３０が図２６中矢印Ｘ１方向に移動されると、押圧片１５６により方向変換レバー１５１の第１の押圧操作部１５５を押圧し、方向変換レバー１５１を支軸１５２を中心にして図２６中矢印Ｔ１方向に回動する。方向変換レバー１５１が図１３中矢印Ｔ１方向に回動されると、第２の押圧操作部１５７が、記録再生位置にローディングされているホルダ５２に設けた被押圧片１５８を押圧し、ホルダ５２を図２６中矢印Ｘ２方向のイジェクト方向に移動させる。
【０１２９】
第１の引っ張りバネ１３２に蓄積された付勢力は、付勢方向制御部材１３０を図２６中矢印Ｘ１方向に移動させ、方向変換レバー１５１を介してホルダ５２をイジェクト方向に移動させたところで解放された状態となる。
【０１３０】
ここで、ホルダ５２が、図２２、図２３及び図２７中矢印Ｘ２方向のイジェクト方向に移動されると、係合片１０６をシャーシ７１側の係合孔１０５に係合させた状態に置かれた揺動レバー９３に対し相対移動する。ホルダ５２が、更に図２２及び図２３中矢印Ｘ２方向に移動すると、回動規制片１００上に先端側の一側を当接させ、図２３中矢印Ｄ方向への回動が規制された状態にあった揺動レバー９３が図２３中矢印Ｄ方向に回動される。
【０１３１】
第２の引っ張りコイルバネ９４を伸張させた位置に保持され図２８中矢印Ｘ２方向に移動付勢されたスライダ９２に支持された揺動レバー９３は、図２７中矢印Ｘ２方向に移動付勢されながら係合片１０６をシャーシ７１側の係合孔１０５に係合させていることにより、図２８中矢印Ｄ方向に回動付勢された状態にある。
【０１３２】
ホルダ５２が、更に図２８中矢印Ｘ２方向に移動し、揺動レバー９３の先端側の一側と回動規制片１００との当接を解除する位置に至ると、揺動レバー９３は、支軸９８を中心にして図２８中矢印Ｄ方向に回動され、先端側の一側に設けた係合部１０１をホルダ５２側の押圧操作片１０２に係合させる。この係合と同時に、揺動レバー９３は、シャーシ７１側の係合孔１０５に対する係合片１０６の係合を解除する。
【０１３３】
揺動レバー９３は、シャーシ７１側への係合を解除することにより、第２の引っ張りコイルバネ９４の付勢力を受けて移動可能な状態となる。このとき、揺動レバー９３は、ホルダ５２の押圧操作片１０２に係合部１０１を係合させるので、ホルダ５２と一体に移動可能な状態となる。このとき、第２の引っ張りコイルバネ９４は、スライダ９２を図２７及び図２８中矢印Ｘ２方向のイジェクト方向に移動させる付勢力が蓄積されているので、スライダ９２と一体に移動する揺動レバー９３を介してホルダ５２を図２７及び図２８中矢印Ｘ２方向のイジェクト方向に移動させる。
【０１３４】
このとき、付勢方向制御部材１３０は、第１の引っ張りバネ１３２に蓄積された付勢力が解放された状態にあって当接片１４２をスライダ９２の当接片１２９に当接させているので、スライダ９２と一体に図２６中矢印Ｘ２方向に移動し、図１３に示す初期位置に復帰する。
【０１３５】
上述のように、ホルダ５２が図２７及び図２８中矢印Ｘ２方向に移動すると、ホルダ５２に保持された記憶媒体１により開閉蓋１１５の湾曲面１１６ａが押圧操作され、開閉蓋１１５がねじりコイルバネ１２１の付勢力に抗して回動されて記憶媒体挿脱部１１２が開放され、記憶媒体挿脱部１１２を介して記憶媒体１の一部が装置外部に突出する。記憶媒体挿脱部１１２から突出した部分を把持し、記憶媒体１を引き抜くことにより、接点部３をコネクター５８から離脱させてイジェクトが完了する。記憶媒体１のイジェクトと共に、開閉蓋１１５がねじりコイルバネ１２１の付勢力を受けて回動されて記憶媒体挿脱部１１２を閉塞する。
【０１３６】
このとき、ホルダ５２は、図９及び図１３に示す初期位置に移動し、ロック機構８１のロックレバー８２が圧縮コイルバネ８８の付勢力を受けて図９中矢印Ａ１方向に回動されてシャーシ７１に係合しロックされた状態におかれる。
【０１３７】
ところで、揺動レバー９３に設けたシャーシ７１側の係合孔１０５に係合する係合片１０６は、揺動レバー９３の長手方向の先端側の側縁に位置して設けられている。すなわち、係合片１０６は、揺動レバー９３の回動支点となる支軸８９を通る中心線Ｐ１に対し偏倚した位置で、支軸８９より離間した位置に設けられているので、揺動レバー９３が第２の引っ張りコイルバネ９４により中心線Ｐ１と平行な方向に移動付勢されたとき、係合孔１０５に対し一定の角度を有する方向から当接する。このとき、揺動レバー９３は、図２４中矢印Ｄ方向に回動付勢された状態となる。そして、係合片１０６の係合孔１０５への当接面を中心線Ｐ１に対し略垂直に形成しておくことにより、係合孔１０５に対する係脱を容易に行うことができる。すなわち、揺動レバー９３が付勢されて係合片１０６が係合孔１０５に当接するときに加わる力が、揺動レバー９３が回動付勢される方向に向くためである。したがって、ホルダ５２に装着された記憶媒体１のイジェクト操作を軽い力で容易に行うことができる。
【０１３８】
上述した本発明に係るローディング装置は、付勢方向制御部材１３０の移動を規制するトリガーレバー１３７を操作する手段として、電磁駆動手段としてのソレノイドプランジャ１３８を用い、電気的にトリガーレバー１３７の回動操作を行っているが、手動操作によって行うようにしてもよい。
【０１３９】
電磁駆動手段等の電気的な駆動手段を用いることなく付勢方向制御部材１３０の移動を規制し、また移動の規制を解除する機構を備えたローディング装置を、図２９及び図３０を参照して説明する。
【０１４０】
なお、前述した例と共通する構成要素については、共通の符号を付して詳細な説明は省略する。
【０１４１】
図２９及び図３０に示すローディング装置は、付勢方向制御部材１３０の移動を規制し、またこの規制を解除する機構として、手動によって回動操作される前述したトリガーレバー１３７に相当する移動規制レバー１７１を備えている。
【０１４２】
移動規制レバー１７１は、付勢方向制御部材１３０の他端側の一側に設けた係合部１７２に係合する係合凹部１７３が先端側に形成された規制制御部１７４と、この規制制御部１７４に対し直交する方向に延長された回動操作部１７５を備え、全体として略Ｌ字状に形成されている。回動操作部１７５の先端側の一側には、手指により押圧される押圧操作部１７５ａが設けられている。
【０１４３】
この移動規制レバー１７１は、規制制御部１７４と回動操作部１７５が連結される折り曲げ部に設けた枢支部１７６をベース６９に植立した支軸１７７に枢支させ、この支軸１７７を中心に、図２９中矢印Ｐ１方向又は矢印Ｐ２方向に回動可能に支持されている。
【０１４４】
なお、支軸１７７の先端には、移動規制レバー１７１の支軸１７７からの抜け止めを図るワッシャー１７７ａが取り付けられている。
【０１４５】
このとき、移動規制レバー１７１は、係合凹部１７３が付勢方向制御部材１３０に設けた係合部１７２に係合し得るように規制制御部１７４を付勢方向制御部材１３０上に重ね合わせるように延在させ、回動操作部１７５をシャーシ７１の前面側の記憶媒体挿脱部１１２に沿うように延長させ、先端側の押圧操作部１７５ａをシャーシ７１の前面側に臨ませて配設されている。このように配設された移動規制レバー１７１を備えたローディング装置は、例えば前述した図４に示すような記録再生装置に取り付けたとき、押圧操作部１７５ａを記録再生装置の前面側に臨ませることができる。このローディング装置を用いた場合には、記録再生装置の前面側で記憶媒体１の装着操作とイジェクト操作を行うようにすることができる。
【０１４６】
また、移動規制レバー１７１は、規制制御部１７４の中途部に設けたバネ係止片１８０とベース６９に形成したバネ係止片１７８との間に張設された引っ張りバネ１７９により、支軸１７７を中心にして図２９中矢印Ｐ１方向に回動付勢されている。移動規制レバー１７１は、図２９中矢印Ｐ１方向に回動付勢されることにより、係合凹部１７３を初期位置にある付勢方向制御部材１３０の係合部１７３に係合させることにより、この付勢方向制御部材１３０の移動を規制している。
【０１４７】
移動規制レバー１７１により、付勢方向制御部材１３０の図２９中矢印Ｘ１方向の移動が規制されることにより、前述したローディング装置と同様に、ホルダ５２の記録再生位置方向への移動に伴って第１の引っ張りバネ１３２が伸張され、この引っ張りバネ１３２に付勢力が蓄積される。
【０１４８】
移動規制レバー１７１は、回動操作部１７５が押圧操作部１７５ａを介して回動操作されると、引っ張りバネ１７９の付勢力に抗して支軸１７７を中心に図２９中矢印Ｐ２方向に回動される。移動規制レバー１７１が図２９中矢印Ｐ２方向に回動されると、規制制御部１７４の係合凹部１７３と付勢方向制御部材１３０の係合部１７３との係合が解除され、移動規制レバー１７１による付勢方向制御部材１３０の移動規制が解除される。したがって、記憶媒体１が記録再生装置内の記録再生位置に装着された状態で、移動規制レバー１７１を手動操作により図２９中矢印Ｐ２方向に回動すると、付勢方向制御部材１３０が第１の引っ張りバネ１３２に蓄積された付勢力を受けて図２９中矢印Ｘ１方向に移動し、前述したローディング装置と同様に方向変換レバー１５１を回動操作してホルダ５２をイジェクト方向に移動させ、ホルダ５２に挿入保持された記憶媒体１のイジェクト操作が行われる。
【０１４９】
上述した各例では、ローディング制御機構９１を構成する揺動レバー９３は、スライダ９２に支持され、スライダ９２とともにホルダ５２の移動方向に移動するように構成されているが、スライダ９２は必ずしも用いる必要はない。揺動レバー９３は、ホルダ５２の移動に関連して移動され、且つホルダ５２の移動位置に応じて支軸９８を中心に揺動してシャーシ７１又はホルダ５２に係合することによって、互いに逆向きの付勢力を発生させる第２及び第３の引っ張りコイルバネ９４，９５の付勢力をホルダ５２に与えるようにすればよい。すなわち、揺動レバー９３は、シャーシ７１の第２の支持壁７３に、回動可能で、ホルダ５２の移動方向に移動可能に直接支持するようにしてもよい。この場合には、第１の引っ張りバネ１３２は、付勢方向制御部材１３０と揺動レバー９２との間に張設される。
【０１５０】
【発明の効果】
上述したように、本発明は、記憶媒体が挿入保持され、記憶媒体の挿脱を可能とするイジェクト位置と記憶媒体の装着位置との間に亘って移動されるホルダの移動に関連して、ホルダを記憶媒体挿入方向とは逆方向のイジェクト方向に移動付勢する第１及び第２の付勢部材にイジェクト方向の付勢力を蓄積し、第１の付勢部材に蓄積された付勢力を解放することによって、記憶媒体が挿入保持されるホルダのイジェクト操作を行うことができるので、記憶媒体のローディングを制御する機構を簡素化でき、しかも小型化を図ることができる。
【０１５１】
更に、本発明は、記憶媒体を一方向に挿入操作することにより、記録再生装置内のコネクターへの接続が図られ、且つ記憶媒体装着位置への装着を行うことができるので、容易に記憶媒体のローディング操作を行うことができる。
【０１５２】
更にまた、本発明は、ホルダを記憶媒体挿入方向又はイジェクト方向の移動を引っ張りコイルバネ等の付勢部材を用いて行っているので、付勢部材の強さを適宜選択することにより、動作力を任意設定でき、記憶媒体の安定した装着操作及びイジェクト操作を実現できる。
【０１５３】
更にまた、本発明は、記憶媒体が挿入保持されるホルダをイジェクトする際、ホルダのイジェクト操作を行う付勢部材の付勢力を受けて移動される付勢方向制御部材の移動方向を制御し、ホルダのイジェクト方向への移動を行うようにしているので、ホルダをイジェクトする機構の小型化を図り、装置自体の小型化を図ることができる。
【図面の簡単な説明】
【図１】本発明に用いられる記憶媒体の平面側を示す斜視図である。
【図２】図１に示す記憶媒体の底面側を示す斜視図である。
【図３】本発明が適用される記録再生装置の一例を示す斜視図である。
【図４】本発明が適用される記録再生装置の他の例を斜視図である。
【図５】本発明が適用されたローディング装置を示す分解斜視図である。
【図６】本発明が適用されたローディング装置を構成するベースの底面側の構成を示す斜視図である。
【図７】記憶媒体が接続されるコネクターを記憶媒体と共に示す斜視図である。
【図８】コネクターに記憶媒体を接続した状態を示す底面図である。
【図９】ホルダが初期位置に移動されている状態を示す平面図である。
【図１０】付勢方向制御部材と共に揺動レバーを含むローディング制御機構が設けられた側を示す側面図である。
【図１１】ホルダをシャーシにロックするロック機構が設けられた側を示す側面図である。
【図１２】ホルダが初期位置に移動されているときのローディング制御機構を示す側面図である。
【図１３】付勢方向制御部材及び付勢力開放機構が設けられたベースの底面側を示す底面図である。
【図１４】付勢力開放機構を構成するトリガーレバー及び方向変換レバーのベースへの取付状態を示す側断面図である。
【図１５】ホルダに記憶媒体が挿入され、記憶媒体の接点部がコネクターに接続された状態を示す平面図である。
【図１６】ホルダに記憶媒体が挿入され、記憶媒体の接点部がコネクターに接続された状態を示す側面図である。
【図１７】ホルダに記憶媒体が挿入され、記憶媒体の接点部がコネクターに接続された状態にあるときのローディング装置を示す底面図である。
【図１８】揺動レバーがホルダによって記憶媒体挿入方向に移動された後揺動してシャーシに係合した状態を示す平面図である。
【図１９】揺動レバーとホルダとの係合が解除され、揺動レバーがシャーシに係合した状態を示す側面図である。
【図２０】ホルダが記録再生位置方向に移動され、第１の引っ張りバネが伸張され、第１の引っ張りバネに付勢力が蓄積された状態を示す平面図である。
【図２１】揺動レバーとホルダとの係合が解除され、揺動レバーがシャーシに係合した状態を示すローディング制御機構の側面図である。
【図２２】ホルダに挿入された記憶媒体が装着位置にローディングされた状態を示す平面図である。
【図２３】ホルダが第３の引っ張りコイルバネの付勢力を受けて記憶媒体装着位置に移動された状態を示す側面図である。
【図２４】ホルダが第３の引っ張りコイルバネの付勢力を受けて記憶媒体装着位置に移動された状態にあるときのローディング制御機構を示す側面図である。
【図２５】ホルダが記憶媒体装着位置に移動された状態を示す底面図である。
【図２６】付勢方向制御部材が第１の引っ張りバネの付勢力を受けて移動された状態を示す底面図である。
【図２７】ホルダに装着した記憶媒体をイジェクトさせた状態を示す平面図である。
【図２８】ホルダに装着した記憶媒体をイジェクトさせた状態を示す側面図である。
【図２９】本発明に係るローディング装置の他の例を示す底面図である。
【図３０】本発明に係るローディング装置の他の例を示す側面図である。
【符号の説明】
１  記憶媒体、  ３  接点部、  １１，２１  記録再生装置、  １２，２２  ハウジング、  ５１  ローディング装置、  ５２  ホルダ、  ５８  コネクター、  ６９  イジェクト操作片、  ７１  シャーシ、  ８１  ロック機構、  ８２ロックレバー、  ８８  圧縮コイルバネ、  ９１  ローディング制御機構、  ９２  スライダ、  ９３  揺動レバー、  ９４  第２の引っ張りコイルバネ、  ９５  第３の引っ張りコイルバネ、  ９８  揺動レバーの支軸、  ９９  回動規制片、  １００  回動規制片、  １０１  係合部、  １０２  押圧操作片、  １１２  記憶媒体挿脱部、  １１５  開閉蓋、  １３０  付勢方向制御部材、  １３１  付勢力開放制御機構、  １３２  第１の引っ張りバネ、  １３７  トリガーレバー、  １３８  ソレノイドプランジャ、  １５１  方向変換レバー、  １７１  移動規制レバー
【図１】
0003838080.tif 000002
【図２】
0003838080.tif 000003
【図３】
0003838080.tif 000004
【図４】
0003838080.tif 000005
【図５】
0003838080.tif 000006
【図６】
0003838080.tif 000007
【図７】
0003838080.tif 000008
【図８】
0003838080.tif 000009
【図９】
0003838080.tif 000010
【図１０】
0003838080.tif 000011
【図１１】
0003838080.tif 000012
【図１２】
0003838080.tif 000013
【図１３】
0003838080.tif 000014
【図１４】
0003838080.tif 000015
【図１５】
0003838080.tif 000016
【図１６】
0003838080.tif 000017
【図１７】
0003838080.tif 000018
【図１８】
0003838080.tif 000019
【図１９】
0003838080.tif 000020
【図２０】
0003838080.tif 000021
【図２１】
0003838080.tif 000022
【図２２】
0003838080.tif 000023
【図２３】
0003838080.tif 000024
【図２４】
0003838080.tif 000025
【図２５】
0003838080.tif 000026
【図２６】
0003838080.tif 000027
【図２７】
0003838080.tif 000028
【図２８】
0003838080.tif 000029
【図２９】
0003838080.tif 000030
【図３０】
0003838080.tif 000031